(57)【要約】      （修正有）【課題】コストを増やさずに保持するタオルなどの垂れ下がった部分同士の距離を離すことができる保持装置を提供する。【解決手段】保持装置は、固定端５１１から水平軸線Ｘに沿って当接面５１２まで延伸すると共に、当接面５１２が水平軸線Ｘと９０°からずれた斜め角度を成すように構成された固定ユニットと、当接面５１２に当接し、水平軸線Ｘに沿った奥行き方向において固定端５１１側寄りに位置する第１の端縁６１３及び水平軸線Ｘに沿った奥行き方向において固定端５１１から離れた側寄りに位置する第２の端縁６１５を有するように構成されている保持ユニットと、固定ユニットに取り付け可能な第１の固定端部５２１から保持ユニットに取り付け可能な第２の固定端部５２２まで延伸する接続部材５２と、を備えている。【選択図】図３
0003230955.tif 000002
【実用新案登録請求の範囲】
【請求項１】
固定端から所定の略水平軸線に沿って当接面まで延伸すると共に、前記当接面が前記略水平軸線と９０°からずれた斜め角度を成すように構成された固定ユニットと、
前記当接面に当接し、前記略水平軸線に沿った奥行き方向において前記固定端側寄りに位置する第１の端縁及び前記略水平軸線に沿った奥行き方向において前記固定端から離れた側寄りに位置する第２の端縁を有するように構成されている保持ユニットと、
前記固定ユニットに取り付け可能な第１の固定端部から、前記保持ユニットに取り付け可能な第２の固定端部まで延伸する接続部材と、
を備えたことを特徴とする保持装置。
【請求項２】
前記斜め角度は、７０°〜８０°の範囲内にあることを特徴とする請求項１に記載の保持装置。
【請求項３】
前記固定ユニットは、前記当接面に開口を有する第１の収容空間を囲むように形成されており、
前記接続部材は前記第１の収容空間内に配置され、前記保持ユニットは該接続部材により前記固定ユニットに連結されていることを特徴とする請求項１または請求項２に記載の保持装置。
【請求項４】
前記固定ユニットは、前記略水平軸線に面する内周面を有する中空の円筒体に作成されていると共に、該円筒体の筒内の空間は、該円筒体の筒内を横断する仕切り壁により、前記当接面側の前記第１の収容空間と、前記固定端側に臨む第２の収容空間とに仕切られており、
前記接続部材の前記第１の固定端部は、前記第２の収容空間から前記仕切り壁を挿通して前記第１の固定端部にねじ込まれる第１の固定ネジにより、前記仕切り壁に固定されており、
前記接続部材の前記第２の固定端部には、前記保持ユニットから突起する係合ブロックを受け入れる係合スロットと、該第２の固定端部を貫通してから前記係合スロットに連通する挿入孔とが形成されていると共に、前記挿入孔を挿通して前記係合スロット内に嵌めこまれている前記保持ユニットの前記係合ブロックにねじ込まれる第２の固定ネジにより、前記保持ユニットに固定されていることを特徴とする請求項３に記載の保持装置。
【請求項５】
前記固定ユニットは、
前記第２の収容空間内に収容されている固定ブロックと、
前記仕切り壁側から前記固定ブロックを貫通して先端が前記固定端外に露出する第３の固定ネジと、
前記第３の固定ネジの前記固定端外に露出する部分に螺合されるねじアンカーと、
前記円筒体の筒外から該円筒体を貫通して前記第２の収容空間内にねじ込まれて前記固定ブロックに当接する保持ネジと、
を更に有していることを特徴とする請求項４に記載の保持装置。
【請求項６】
２つの前記固定ユニットを備え、
前記保持ユニットは、２つの前記固定ユニットに取り付けられていることを特徴とする請求項１〜請求項５のいずれか１項に記載の保持装置。
【請求項７】
前記保持ユニットは、前記第１の端縁が前記第２の端縁の上側にあるように前記接続部材に接続されていると共に、前記接続部材に接続されている連結端部から、前記第１の端縁及び前記第２の端縁に平行する長さ方向に沿って自由端部まで延伸する、厚さが２.７ｍｍ〜４.７ｍｍの範囲内にある板状体であり、
更に、前記自由端部には、前記第１の端縁から突起するストッパー突起が形成されていることを特徴とする請求項１〜請求項５のいずれか１項に記載の保持装置。
【考案の詳細な説明】
【技術分野】
【０００１】
本考案は、保持装置に関し、特に、洗面所などに設置されてタオルなどを保持するのに用いられる保持装置に関する。
【背景技術】
【０００２】
図１は、洗面所やバスルームなどに設置されてタオルなどを保持するのに用いられる通称タオル掛けという従来の保持装置１の構成が示される断面図である。
【０００３】
図１に示されるように、該従来の保持装置１は、壁２から突起するように壁２に取り付けられる固定部１１と、該固定部１１から横方向へ延伸する保持部１２とを有し、金属より作成された薄い板状の保持部１２でタオルや雑巾、衣類などを保持可能にしている。
【０００４】
一方、洗面所やバスルームなど水気が多い場所に設置される場合が多いため、例えば湿ったタオル３が掛けられる場合、タオル３の保持部１２から垂れ下がった部分３１同士の距離は保持部１２の厚さにほぼ一致するので、図示のように保持部１２が薄い板状の場合、空気の通りが悪くなるため乾くまでに時間がかかり、そしてカビが生えやすい問題点がある。
【０００５】
もちろん、保持部１２を円柱状にすることによって、タオル３の垂れ下がった部分３１同士の距離を増やせるが、その分コストが増える問題も無視できない。
【考案の概要】
【考案が解決しようとする課題】
【０００６】
従って、本考案は、保持部の体積、即ちコストを増やさずに保持するタオルなどの垂れ下がった部分同士の距離を離すことができる保持装置を提供することを課題とする。
【課題を解決するための手段】
【０００７】
上記課題を達成すべく、本考案は固定端から所定の略水平軸線に沿って当接面まで延伸すると共に、前記当接面が前記略水平軸線と９０°からずれた斜め角度を成すように構成された固定ユニットと、前記当接面に当接し、前記略水平軸線に沿った奥行き方向において前記固定端側寄りに位置する第１の端縁及び前記略水平軸線に沿った奥行き方向において前記固定端から離れた側寄りに位置する第２の端縁を有するように構成されている保持ユニットと、前記固定ユニットに取り付け可能な第１の固定端部から、前記保持ユニットに取り付け可能な第２の固定端部まで延伸する接続部材と、を備えたことを特徴とする保持装置を提供する。
【考案の効果】
【０００８】
上記のように、本考案の保持装置は、略水平軸線と９０°からずれた斜め角度を成す当接面を有する固定ユニットと、該当接面に当接するように前記固定ユニットに連結し、略水平軸線に沿った奥行き方向において固定端側寄りに位置する第１の端縁及び略水平軸線に沿った奥行き方向において固定端から離れた側寄りに位置する第２の端縁を有するように構成された保持ユニットと、を備えているので、この保持ユニットにより保持されるタオルや雑巾、衣類などが保持ユニットから垂れ下がった部分同士の間の距離は、必ず保持ユニット自体の厚さより広いので、コストを増やさずに保持するタオルや雑巾、衣類などの垂れ下がった部分同士の距離を増やすことができる。
【図面の簡単な説明】
【０００９】
【図１】従来の保持装置の構成が示される断面図である。
【図２】本考案の保持装置の第１の実施形態の外部構成が示される斜視図である。
【図３】本考案の保持装置の第１の実施形態の全体的構成が示される分解斜視図である。
【図４】本考案の保持装置の第１の実施形態における固定ユニットの構成が示される断面図である。
【図５】本考案の保持装置の第１の実施形態の構成が示される断面図である。
【図６】図１に沿ったVI‐VI線に沿った一部切りかけ断面図である。
【図７】壁に取り付けられた本考案の保持装置の第１の実施形態にタオルが保持されている様子が示される説明図である。
【図８】本考案の保持装置の第２の実施形態の外部構成が示される斜視図である。
【図９】本考案の保持装置の第２の実施形態の構成及び壁に取り付けられた様子が示される断面図である。
【考案を実施するための形態】
【００１０】
本考案を詳細に説明する前に、以下の説明において、同じ機能を発揮し且つ似たような構造を持つ部品は同様の番号で表示することを理解されたい。
【００１１】
図２〜図７に本考案の保持装置の第１の実施形態が示されている。図２は本考案の保持装置の第１の実施形態の外部構成が示される斜視図であり、図３は本考案の保持装置の第１の実施形態の全体的構成が示される分解斜視図であり、図４は本考案の保持装置の第１の実施形態における固定ユニットの構成が示される断面図であり、図５は本考案の保持装置の第１の実施形態の構成が示される断面図であり、図６は本考案の保持装置の第１の実施形態が壁に取り付けられた様子が示される一部切りかけ断面図であり、図７は壁に取り付けられた本考案の保持装置の第１の実施形態にタオルが保持されている様子が示される説明図である。
【００１２】
図２〜図４に示されるように、本考案の保持装置は、固定ユニット５と、保持ユニット６と、接続部材５２と、を備えている。
【００１３】
本考案において、固定ユニット５は、固定端５１１から所定の略水平軸線Ｘに沿って当接面５１２まで延伸すると共に、当接面５１２が前記略水平軸線Ｘと斜め角度θを成すように構成されている。ちなみに、この第１の実施形態において、固定ユニット５は、略水平軸線Ｘに面する内周面を有する中空の円筒体５１に作成されている。そして円筒体５１は金属材料により作成されていると共に、その厚さＤに関しては、０.７ｍｍ〜０.９ｍｍの範囲内にあることが好ましい。
【００１４】
斜め角度θに関しては、この第１の実施形態においては７５°に成っているが、９０°からずれた角度であれば本考案として用いることができる。そして該当接面５１２は、斜め角度θが７０°〜８０°の範囲内にあるように構成することが好ましい。
【００１５】
本考案において、保持ユニット６は、当接面５１２に当接している。そして図５に示されているように、保持ユニット６は、略水平軸線Ｘに沿った奥行き方向（即ち、図５における左右方向）において固定端５１１側寄り（即ち、図５においては左側寄り）に位置する第１の端縁６１３及び略水平軸線Ｘに沿った奥行き方向において固定端５１１から離れた側寄り（即ち、図５においては右側寄り）に位置する第２の端縁６１５を有するように構成されている。
【００１６】
本考案において、接続部材５２は、固定ユニット５に取り付け可能な第１の固定端部５２１から、保持ユニット６に取り付け可能な第２の固定端部５２２まで延伸するように構成されている。
【００１７】
この第１の実施形態において、保持ユニット６は、第１の端縁６１３が第２の端縁６１５の上側にあるように接続部材５２に接続されている。この保持ユニット６は、接続部材５２に接続されている連結端部６１１から、第１の端縁６１３及び第２の端縁６１５に平行する長さ方向に沿って自由端部６１２まで延伸する板状体６１である。図５に示されているように、この板状体６１の厚さｄに関しては、２.７ｍｍ〜４.７ｍｍの範囲内にあることが好ましい。
【００１８】
ちなみに、本考案としては、略水平軸線Ｘに沿った奥行き方向において固定端５１１から離れた側寄り（即ち、図５においては右側寄り）に位置する第２の端縁６１５が、略水平軸線Ｘに沿った奥行き方向において固定端５１１側寄り（即ち、図５においては左側寄り）に位置する第１の端縁６１３の上側にあるように構成することも可能である。
【００１９】
更に、保持ユニット６の自由端部６１２には、第１の端縁６１３から突起するストッパー突起６１４が形成されている。
【００２０】
この第１の実施形態において、固定ユニット５は、略水平軸線Ｘに面する内周面を有する中空の円筒体５１に作成されていると共に、該円筒体５１の筒内の空間は、該円筒体５１の筒内を横断する仕切り壁５１４により、当接面５１２側の第１の収容空間５１３Ａと、固定端５１１側に臨む第２の収容空間５１３Ｂとに仕切られている。
【００２１】
接続部材５２は該第１の収容空間５１３Ａ内に配置され、保持ユニット６は該接続部材５２により固定ユニット５に連結されている。
【００２２】
この実施形態において、接続部材５２は亜鉛ダイカストにより作成されたものである。
【００２３】
図５に示されているように、接続部材５２の第１の固定端部５２１は、第２の収容空間５１３Ｂから固定ユニット５の円筒体５１の筒内にある仕切り壁５１４を挿通して第１の固定端部５２１にねじ込まれる第１の固定ネジ５３により、仕切り壁５１４に固定されている。
【００２４】
そして接続部材５２の第２の固定端部５２２には、保持ユニット６の板状体６１から固定ユニット５側へ突起する係合ブロック６２を受け入れる係合スロット５２５と、該第２の固定端部５２２を貫通してから係合スロット５２５に連通する挿入孔５２４、挿入孔５２４から係合スロット５２５まで延伸するねじ孔５２３と、が形成されている。接続部材５２の第２の固定端部５２２は、挿入孔５２４を挿通してねじ孔５２３を経由して係合スロット５２５内に嵌めこまれている保持ユニット６の係合ブロック６２にねじ込まれる第２の固定ネジ６３により、保持ユニット６に固定されている。この実施形態において、係合スロット５２５が開口し保持ユニット６に当接する平面は、固定ユニットの当接面５１２と同一の仮想平面上にある。
【００２５】
図３に示されているように、この実施形態において、保持ユニット６の連結端部６１１から固定ユニット５側へ突起する係合ブロック６２は、板状体６１と別個に作成されて半田付けにより板状体６１に取り付けられたものであり、四角形の断面を有している。この係合ブロック６２の形状に対応して、該係合ブロック６２を受け入れる係合スロット５２５も四角形の断面を有する凹みとして形成されている。この構成により、保持ユニット６は接続部材５２及び固定ユニット５側に対して相対回転不可能に係合され、接続部材５２に形成される挿入孔５２４を挿通して係合スロット５２５内に嵌めこまれている保持ユニット６の係合ブロック６２にねじ込まれる第２の固定ネジ６３は接続部材５２を保持ユニット６に固定することができる。そしてこの構成により、係合ブロック６２は外部から完全に隠されているので、全体の美観性を損なわない利点を有している。
【００２６】
また、接続部材５２の第１の固定端部５２１には四角形の断面を有する突起が形成され、固定ユニット５の円筒体５１の筒内にある仕切り壁５１４には該四角形の断面に対応する係合孔５１６が形成されており、この第１の固定端部５２１に形成された突起が仕切り壁５１４形成された係合孔５１６に嵌め込まれることにより、接続部材５２は固定ユニット５側に対して相対回転不可能に係合され、第２の収容空間５１３Ｂから固定ユニット５の円筒体５１の筒内にある仕切り壁５１４に形成される係合孔５１６を挿通して第１の固定端部５２１にねじ込まれる第１の固定ネジ５３は接続部材５２を固定ユニット５に固定することができる。
【００２７】
図４、図５及び図７に示されるように、保持ユニット６を固定ユニット５に取り付ける際、まずは保持ユニット６の係合ブロック６２が係合スロット５２５内に嵌めこまれるように接続部材５２を保持ユニット６に設置してから、第２の固定ネジ６３を挿入孔５２４を経由して係合スロット５２５内に嵌めこまれている保持ユニット６の係合ブロック６２にねじ込むことにより接続部材５２を保持ユニット６に固定する。それから接続部材５２を第１の固定端部５２１から固定ユニット５の第１の収容空間５１３Ａ内に挿入し、この第１の固定端部５２１に形成された突起を仕切り壁５１４形成された係合孔５１６に嵌め込んでから、第２の収容空間５１３Ｂから第１の固定ネジ５３を固定ユニット５の円筒体５１の筒内にある仕切り壁５１４に形成される係合孔５１６を挿通して第１の固定端部５２１にねじ込むことにより、接続部材５２を固定ユニット５に固定し、保持ユニット６の固定ユニット５への取り付けを完成する。
【００２８】
更に、図３及び図６に示されるように、この第１の実施形態において、固定ユニット５は、第２の収容空間５１３Ｂ内に収容されている固定ブロック７２と、仕切り壁５１４側から固定ブロック７２を貫通して先端が固定端５１１外に露出する第３の固定ネジ７３と、第３の固定ネジ７３の固定端５１１外に露出する部分に螺合されるねじアンカー７１と、円筒体５１の筒外から該円筒体５１に形成される通過孔５１５を経由して該円筒体５１を貫通して第２の収容空間５１３Ｂ内にねじ込まれて固定ブロック７２に当接する保持ネジ７４と、を更に有している。
【００２９】
第２の収容空間５１３Ｂ内に収容されている固定ブロック７２には、円筒体５１に形成される通過孔５１５の位置に対応するように形成される係合溝７２１が形成されている。通過孔５１５を経由して該円筒体５１を貫通して第２の収容空間５１３Ｂ内にねじ込まれて固定ブロック７２の係合溝７２１内に挿し込んで当接する保持ネジ７４により、固定ブロック７２は固定ユニット５に対して相対回転不可能に係合されると共に、通過孔５１５の反対側の内周面にきつく押し当てられ、保持ネジ７４が緩まれない限り固定されている。
【００３０】
図６に示されているように、ねじアンカー７１を壁４の中に打ち込んでおき、そして仕切り壁５１４側から固定ブロック７２を貫通する第３の固定ネジ７３の固定端５１１外に露出する先端がねじアンカー７１と螺合することにより、固定ブロック７２及び該固定ブロック７２に固定される固定ユニット５を壁面に固定することができる。
【００３１】
もちろん、実際にこの第１の実施形態の保持装置を壁面に固定する際では、まずねじアンカー７１を壁４の中に打ち込んでから、壁面においてねじアンカー７１に対応する箇所に固定ブロック７２を設置し、第３の固定ネジ７３で用いて固定ブロック７２を貫通してから貫通壁４の中にあるねじアンカー７１と螺合させて固定ブロック７２を壁面に固定してから、保持ユニット６が取り付けられている固定ユニット５の第２の収容空間５１３Ｂ内に固定ブロック７２が収容されるように固定ユニット５を壁面に設置してから、保持ネジ７４を通過孔５１５を経由して固定ブロック７２の係合溝７２１内に挿し込んできつく締めることにより、該この第１の実施形態の保持装置を壁面に固定することができる。
【００３２】
図７に示されるように、壁面に固定される本考案の第１の実施形態の保持装置の保持ユニット６に例えばタオル８が掛けられる際、該タオル８の垂れ下がった部分８１同士の距離は、保持ユニット６自体の厚さより広いので、コストを増やさずに保持するタオル８や雑巾、衣類などの垂れ下がった部分同士の距離を離すことができる。
【００３３】
更に、この第１の実施形態の保持ユニット６の自由端部６１２には、第１の端縁６１３から突起するストッパー突起６１４が形成されているので、保持ユニット６に例えばタオル８が掛けられる際、このストッパー突起６１４がタオル８を止めることができるので、該保持ユニット６取り付けられる固定ユニットが１つだけでも、十分にタオル掛けとしての機能を発揮することができる。
【００３４】
ちなみに、この第１の実施形態において、第３の固定ネジ７３及び第３の固定ネジ７３に対応するねじアンカー７１の数はいずれも２つになっているが、本考案としてはこれに限定されず、必要に応じて数量を調整することが可能である。
【００３５】
図８及び図９には本考案の保持装置の第２の実施形態が示されている。図８は本考案の保持装置の第２の実施形態の外部構成が示される斜視図であり、図９は本考案の保持装置の第２の実施形態の構成及び壁に取り付けられた様子が示される断面図である。
【００３６】
図示のように、本考案の保持装置の第２の実施形態では、２つの固定ユニット５と１つの保持ユニット６とを備え、この第２の実施形態における保持ユニット６は、水平横方向Ｙに沿って延伸し、水平横方向Ｙの両端部に２つの固定ユニット５がそれぞれ取り付けられている。即ち、本考案の保持装置が有する固定ユニット５の数量は１つに限らず、２個でもよい。図９に示されているように、この第２の実施形態において、該２つの固定ユニット５の構成は、いずれも第１の実施形態に示されるものと同様な構成を有している。
【００３７】
以上、本考案の具体例を詳細に説明したが、これは例示に過ぎず、実用新案登録請求の範囲を限定するものではない。実用新案登録請求の範囲には、以上に例示した具体例を変形、変更したものが含まれる。
【符号の説明】
【００３８】
４        壁
５        固定ユニット
５１      円筒体
５１１    固定端
５１２    当接面
５１３Ａ  第１の収容空間
５１３Ｂ  第２の収容空間
５１４    仕切り壁
５１５    通過孔
５１６    係合孔
５２      接続部材
５２１    第１の固定端部
５２２    第２の固定端部
５２３    ねじ孔
５２４    挿入孔
５２５    係合スロット
５３      第１の固定ネジ
６        保持ユニット
６１      板状体
６１１    連結端部
６１２    自由端部
６１３    第１の端縁
６１４    ストッパー突起
６１５    第２の端縁
６２      係合ブロック
６３      第２の固定ネジ
７１      ねじアンカー
７２      固定ブロック
７３      第３の固定ネジ
７４      保持ネジ
８        タオル
８１      垂れ下がった部分
Ｄ        厚さ
Ｘ        略水平軸線
ｄ        厚さ
θ        斜め角度
【図１】
0003230955.tif 000003
【図２】
0003230955.tif 000004
【図３】
0003230955.tif 000005
【図４】
0003230955.tif 000006
【図５】
0003230955.tif 000007
【図６】
0003230955.tif 000008
【図７】
0003230955.tif 000009
【図８】
0003230955.tif 000010
【図９】
0003230955.tif 000011
【手続補正書】
【提出日】令和2年12月23日(2020.12.23)
【手続補正１】
【補正対象書類名】実用新案登録請求の範囲
【補正対象項目名】全文
【補正方法】変更
【補正の内容】
【実用新案登録請求の範囲】
【請求項１】
固定端から所定の略水平軸線に沿って当接面まで延伸すると共に、前記当接面が前記略水平軸線と９０°からずれた斜め角度を成すように構成された固定ユニットと、
前記当接面に当接し、前記略水平軸線に沿った奥行き方向において前記固定端側寄りに位置する第１の端縁及び前記略水平軸線に沿った奥行き方向において前記固定端から離れた側寄りに位置する第２の端縁を有するように構成されている保持ユニットと、
前記固定ユニットに取り付け可能な第１の固定端部から、前記保持ユニットに取り付け可能な第２の固定端部まで延伸する接続部材と、
を備え、
前記保持ユニットで布材を保持することが可能なことを特徴とする保持装置。
【請求項２】
前記斜め角度は、７０°〜８０°の範囲内にあることを特徴とする請求項１に記載の保持装置。
【請求項３】
前記固定ユニットは、前記当接面に開口を有する第１の収容空間を囲むように形成されており、
前記接続部材は前記第１の収容空間内に配置され、前記保持ユニットは該接続部材により前記固定ユニットに連結されていることを特徴とする請求項１または請求項２に記載の保持装置。
【請求項４】
前記固定ユニットは、前記略水平軸線に面する内周面を有する中空の円筒体に作成されていると共に、該円筒体の筒内の空間は、該円筒体の筒内を横断する仕切り壁により、前記当接面側の前記第１の収容空間と、前記固定端側に臨む第２の収容空間とに仕切られており、
前記接続部材の前記第１の固定端部は、前記第２の収容空間から前記仕切り壁を挿通して前記第１の固定端部にねじ込まれる第１の固定ネジにより、前記仕切り壁に固定されており、
前記接続部材の前記第２の固定端部には、前記保持ユニットから突起する係合ブロックを受け入れる係合スロットと、該第２の固定端部を貫通してから前記係合スロットに連通する挿入孔とが形成されていると共に、前記挿入孔を挿通して前記係合スロット内に嵌めこまれている前記保持ユニットの前記係合ブロックにねじ込まれる第２の固定ネジにより、前記保持ユニットに固定されていることを特徴とする請求項３に記載の保持装置。
【請求項５】
前記固定ユニットは、
前記第２の収容空間内に収容されている固定ブロックと、
前記仕切り壁側から前記固定ブロックを貫通して先端が前記固定端外に露出する第３の固定ネジと、
前記第３の固定ネジの前記固定端外に露出する部分に螺合されるねじアンカーと、
前記円筒体の筒外から該円筒体を貫通して前記第２の収容空間内にねじ込まれて前記固定ブロックに当接する保持ネジと、
を更に有していることを特徴とする請求項４に記載の保持装置。
【請求項６】
２つの前記固定ユニットを備え、
前記保持ユニットは、２つの前記固定ユニットに取り付けられていることを特徴とする請求項１〜請求項５のいずれか１項に記載の保持装置。
【請求項７】
前記保持ユニットは、前記第１の端縁が前記第２の端縁の上側にあるように前記接続部材に接続されていると共に、前記接続部材に接続されている連結端部から、前記第１の端縁及び前記第２の端縁に平行する長さ方向に沿って自由端部まで延伸する、厚さが２.７ｍｍ〜４.７ｍｍの範囲内にある板状体であり、
更に、前記自由端部には、前記第１の端縁から突起するストッパー突起が形成されていることを特徴とする請求項１〜請求項５のいずれか１項に記載の保持装置。